(57)【特許請求の範囲】
【請求項１】
光を出射させる開口部が下部に形成された器具本体と、
前記開口部の外周縁部に形成されたフランジ部と、
前記器具本体の内部であって前記開口部に近接する位置に照射面を設けた光源部と、
前記フランジ部の周方向に複数配設され、前記フランジ部の上方から斜め上方に向けて形成された取付バネ部と、
前記フランジ部の上部の外縁部であって、前記取付バネ部に最も近接した部位、及び、前記部位を含む領域に形成された引掛部と、
を備えたことを特徴とする埋込型照明器具。
【請求項２】
光を出射させる開口部が下部に形成された器具本体と、
前記開口部の外周縁部に形成されたフランジ部と、
前記器具本体の内部であって前記開口部に近接する位置に照射面を設けた光源部と、
前記フランジ部の周方向に複数配設され、前記フランジ部の上方から斜め上方に向けて形成された取付バネ部と、
前記フランジ部の上部の外縁部であって、隣接する前記取付バネ部の各々から最も離隔した部位、及び、前記部位を含む領域に形成された引掛部と、
を備えたことを特徴とする埋込型照明器具。
【発明の詳細な説明】
【技術分野】
【０００１】
本発明は、埋込型照明器具に関する。
【背景技術】
【０００２】
従来、天井等の取付壁部に形成された取付穴に埋め込まれて設置される、埋込型照明器具が知られている。また、この種の埋込型照明器具として、光を出射させる開口部が下部に形成された器具本体と、器具本体の内部に設けられた光源部と、開口部の外周縁部に形成されたフランジ部とを備え、取付壁部に対する固定手段として、取付バネ部を備えたものが知られている（例えば、特許文献１参照。）。取付バネ部は、フランジ部の周方向に複数配設されており、フランジ部の上方から斜め上方に向けて形成されている。
【０００３】
取付バネ部を備えた埋込型照明器具を取付壁部に設置する手順は、まず、取付バネ部の弾性力に抗して手指で各取付バネ部を器具本体の中心方向に窄め、その状態で器具本体と各取付バネ部とを取付穴に挿入する。そこで各取付バネ部を窄めていた手指を離すと、各取付バネ部は取付穴の縁部に当接する。器具本体を上方に押し上げていくと、各取付バネ部が取付穴の縁部に当接しながら、各取付バネ部は弾性的に復元して拡開していく。そして、取付バネ部が更に拡開しようとする弾性的な付勢力により、器具本体は上方に引き上げられることとなり、フランジ部が取付壁部に圧接した状態となって、埋込型照明器具が取付壁部に設置されるのである。
【０００４】
一方、埋込型照明器具の交換を行う場合など、埋込型照明器具を取付壁部から取り外す場合は、取付バネ部の付勢力に抗して器具本体を引き下げ、器具本体と各取付バネ部とを取付穴から引き抜けばよい。しかしながら、埋込型照明器具が取付壁部に設置された状態では、フランジ部は取付バネ部の付勢力によって取付壁部に圧接しており、フランジ部と取付壁部との間に指先を差し込んで引き下げることはできない。
【０００５】
このため、まず、器具本体の開口部に両手の手指を差し入れて器具本体の内側面（反射面）を左右に押し広げるようにして保持し、取付バネ部の付勢力に抗して、器具本体を引き下げる。すると、フランジ部と取付壁部との間に指先を差し込む間隙が生じ、この間隙がフランジ部の外縁部を保持するきっかけとなる。この間隙に指先を差し込むことでフランジ部の外縁部を保持して、更に器具本体を引き下げるようにすると、各取付バネ部は取付穴の縁部に当接しながら、徐々に窄められていく。ある程度引き下げられたところで、取付バネ部の弾性力に抗して手指で各取付バネ部を器具本体の中心方向に窄め、その状態で器具本体と各取付バネ部とを取付穴から引き抜くことで、埋込型照明器具を取付壁部から取り外すのである。
【０００６】
また、器具本体の内側面（反射面）を左右に押し広げるようにして保持して、器具本体を引き下げる場合、器具本体の内側面（反射面）のどの部分を保持するかによって、器具本体の引き下げに必要な力は異なる。すなわち、取付バネ部に近接した領域では、取付バネ部の強度の影響が強く、取付バネ部から離隔した領域では、取付バネ部の強度の影響が比較的弱い。このため、取付バネ部に近接した領域を保持した場合と、取付バネ部から離隔した領域を保持した場合とで、器具本体の引き下げに必要な力を比較すると、取付バネ部に近接した領域を保持した場合のほうが、取付バネ部から離隔した領域を保持した場合より大きい力が必要である。
【０００７】
また、器具本体の引き下げに必要な力は、取付壁部の厚みによっても変動する。埋込型照明器具の取付バネ部は、薄い取付壁部（例えば、５ｍｍ）から厚い取付壁部（例えば、２５ｍｍ）まで対応できるが、薄い取付壁部と厚い取付壁部とでは、設置された状態での取付バネ部の拡開の程度が異なる。薄い取付壁部の場合は、取付バネ部は大きく拡開していることから、器具本体を引き下げるには大きな力が必要となるが、厚い取付壁部の場合は、取付バネ部は窄まっていることから、器具本体を小さな力で引き下げることができる。
【特許文献１】特開平１０―６９８１３号公報
【発明の開示】
【発明が解決しようとする課題】
【０００８】
ところで、埋込型照明器具の光源部として、例えば、光源が複数の発光ダイオード（ＬＥＤ）であり、ＬＥＤが実装された基板にレンズ体を組み合わせて、下面に照射面が形成されたものが開発されている。このような光源部は、複数のＬＥＤを用いたことで照射面の面積が広くなっている。このため、光源部は、照射面が器具本体の開口部に近接するように配置されている。
【０００９】
しかしながら、照射面を器具本体内部の開口部に近接させて設けると、照射面から開口部までの内側面（反射面）が狭くなるため、埋込型照明器具を取付壁部から取り外すことが困難になるという問題がある。すなわち、埋込型照明器具を取付壁部から取り外す場合、両手の手指で器具本体の内側面（反射面）を左右に押し広げるようにして保持し、取付バネ部の付勢力に抗して器具本体を引き下げる。そして、フランジ部と取付壁部との間に指先を差し込む間隙が生じたところで、この間隙に指先を差し込んでフランジ部の外縁部を保持している。ところが、照射面から開口部までの内側面（反射面）が狭いと、器具本体の内側面（反射面）にうまく手指が掛からず、力が入り難い。このため、内側面（反射面）を保持しながら、取付バネ部の付勢力に抗して、器具本体を引き下げることが困難であり、フランジ部の外縁部を保持するきっかけとなる、フランジ部と取付壁部との間の間隙を生じさせることが困難なのである。
【００１０】
本発明は、前記課題を解消するためになされたものであり、フランジ部の外縁部を保持するきっかけとなるフランジ部と取付壁部との間の間隙を容易に生じさせ、これにより、取付壁部からの取り外しを容易とした埋込型照明器具の提供を目的とする。
【課題を解決するための手段】
【００１１】
本発明の解決しようとする課題は以上の如くであり、次にこの課題を解決するための手段を説明する。
【００１２】
即ち、第１の発明では、光を出射させる開口部が下部に形成された器具本体と、
前記開口部の外周縁部に形成されたフランジ部と、
前記器具本体の内部であって前記開口部に近接する位置に照射面を設けた光源部と、
前記フランジ部の周方向に複数配設され、前記フランジ部の上方から斜め上方に向けて形成された取付バネ部と、
前記フランジ部の上部の外縁部であって、前記取付バネ部に最も近接した部位、及び、前記部位を含む領域に形成された引掛部と、
を備えたことを特徴とする埋込型照明器具とする。
【００１３】
第２の発明では、光を出射させる開口部が下部に形成された器具本体と、
前記開口部の外周縁部に形成されたフランジ部と、
前記器具本体の内部であって前記開口部に近接する位置に照射面を設けた光源部と、
前記フランジ部の周方向に複数配設され、前記フランジ部の上方から斜め上方に向けて形成された取付バネ部と、
前記フランジ部の上部の外縁部であって、隣接する前記取付バネ部の各々から最も離隔した部位、及び、前記部位を含む領域に形成された引掛部と、
を備えたことを特徴とする埋込型照明器具とする。
【発明の効果】
【００１４】
本発明の効果として、以下に示すような効果を奏する。
【００１５】
第１の発明によれば、フランジ部の上部の外縁部であって、取付バネ部に最も近接した部位、及び、前記部位を含む領域に引掛部を設けたため、手指の先を引掛部に掛けたときに力を入れやすく、器具本体を容易に引き下げることができ、フランジ部の外縁部を保持するきっかけとなるフランジ部と取付壁部との間の間隙を容易に生じさせることができる。
また、取付バネ部に最も近接した部位、及び、前記部位を含む領域は、取付バネ部の強度の影響が強く、器具本体を引き下げるには大きな力を要するが、引掛部を設けたため、手指の先を引掛部に掛けた状態で力を入れやすく、器具本体を容易に引き下げることができ、フランジ部の外縁部を保持するきっかけとなるフランジ部と取付壁部との間の間隙を容易に生じさせることができる。これにより、埋込型照明器具を取付壁部から容易に取り外すことができる。
また、取付バネ部に最も近接した部位、及び、前記部位を含む領域にのみ引掛部を設けたため、埋込型照明器具を取付壁部に設置した状態でも、フランジ部と取付壁部との間隙が目立たず、埋込型照明器具の外観の体裁を損なうこともない。
【００１６】
第２の発明によれば、フランジ部の上部の外縁部であって、取付バネ部の各々から最も離隔した部位、及び、前記部位を含む領域に、引掛部を設けたため、手指の先を引掛部に掛けたときに力を入れやすく、器具本体を容易に引き下げることができ、フランジ部の外縁部を保持するきっかけとなるフランジ部と取付壁部との間の間隙を容易に生じさせることができる。
また、隣接する取付バネ部の各々から最も離隔した部位、及び、前記部位を含む領域は、取付バネ部の強度の影響が比較的弱く、器具本体の引き下げを比較的小さな力で行うことができるため、手指の先を引掛部に掛けた状態で器具本体を容易に引き下げることができ、フランジ部の外縁部を保持するきっかけとなるフランジ部と取付壁部との間の間隙を容易に生じさせることができる。これにより、埋込型照明器具を取付壁部から容易に取り外すことができる。
また、隣接する取付バネ部の各々から最も離隔した部位、及び、前記部位を含む領域にのみ引掛部を設けたため、埋込型照明器具を取付壁部に設置した状態でも、フランジ部と取付壁部との間隙が目立たず、埋込型照明器具の外観の体裁を損なうこともない。
【発明を実施するための最良の形態】
【００１７】
次に、発明の実施の形態について図を用いて説明する。
【実施例１】
【００１８】
本発明の実施例１に係る埋込型照明器具１１について、図１から図３を用いて説明する。実施例１の埋込型照明器具１１は、取付壁部としての天井に形成された丸型の取付穴に埋め込まれて設置されるものである。以下の説明では、上下方向は、天井に設置された状態における上下方向として説明する。埋込型照明器具１１は、図１、２に示すように、器具本体２１、フランジ部４１、光源部５０、取付バネ部としての主取付バネ部６１と副取付バネ部６２、及び、引掛部７１を有している。
【００１９】
図２に示すように、器具本体２１は、器具主体２２と枠体３１とを有しており、器具主体２２と枠体３１は、熱伝導性を有するアルミニウム等の金属素材を用いて形成されている。器具主体２２は、円筒状の側壁部２３と、底板部２４とを有しており、器具主体２２の内部には、光源部５０の光源であるＬＥＤ５３を点灯させる点灯装置（図示せず）が収容されている。器具主体２２の天部は、金属板で形成された天板部２５が固定されて閉塞されており、天板部２５から外側に延設された部分には端子台２６が設置されている。端子台２６には、外部電源からの電線（図示せず）が電気的に接続される。また、端子台２６と点灯装置は、側壁部２３を貫通する電線（図示せず）によって電気的に接続されている。器具主体２２の底板部２４の下面は、枠体３１と、光源部５０とが装着される構成である。
【００２０】
枠体３１は、器具主体２２の底板部２４の下部に装着されるとともに、光源部５０が装着される部分である。枠体３１は上板部３２、開口部３３、フランジ部４１を有している。上板部３２には、光源部５０の光を通すとともに、レンズ５４が装着される光源用孔部３４が、同一円周上の５箇所に等間隔に形成されている。枠体３１の下部は、漸次拡開させた末広がりの形状に形成されており、光源部５０からの光を出射させる開口部３３が形成されている。開口部３３から内側にかけては、光源部５０からの光を反射させる反射面３５となっている。フランジ部４１は、埋込型照明器具１１を天井の取付穴に設置した状態で天井に接触する部分であり、開口部３３の外周縁部に形成されている。
【００２１】
光源部５０は、略平面状の照射面５１を備えており、器具本体２１の内部であって開口部３３に近接する位置に、略平面状の照射面５１が位置するように設けられる。光源部５０は、基板５２、レンズ５４、導光板５６、スペーサ−５８を有している。基板５２は、枠体３１の光源用孔部３４に対応するように、光源としてのＬＥＤ５３を同一円周上の５箇所に等間隔に備えている。基板５２と点灯装置（図示せず）は、電線（図示せず）によって電気的に接続されている。レンズ５４は、ＬＥＤ５３からの光を透過させて、照射面５１を形成する部材である。レンズ５４は、透光性を有する樹脂素材等で形成されており、上面側にはＬＥＤ５３に対応した凹部５５が形成されている。導光板５６は、レンズ５４を保持して枠体３１に固定する部材であり、レンズ５４を保持する位置にレンズ保持用孔５７が形成されている。また、導光板５６は、透光性を有する樹脂素材等で形成されており、レンズ５４からの光によって下部が明るくなるように構成されているため、レンズ５４とともに平面状の照射面５１を構成する。スペーサ−５８は、導光板５６と枠体３１の間に介設され、導光板５６と枠体３１の間の間隔を調整する部材であり、レンズ５４と干渉しないようにレンズ挿通孔５９が形成されている。尚、本実施例では、照射面５１が略平面状のものを説明したが、照射面５１は略平面状のものに限られず、例えば、照射面５１が上方又は下方に向けて湾曲した形状や、レンズ５４が照射面５１に対して突出又は陥没して設けられていてもよい。また、導光板５６が透光性を有し、レンズ５４とともに明るくなる例を示したが、これに限定されず、例えば、レンズ５４のみが光を照射するものであってもよい。
【００２２】
図１から図３に示すように、取付バネ部としての主取付バネ部６１と副取付バネ部６２は、天井に埋込型照明器具１１を固定する固定手段であり、フランジ部４１の周方向に複数配設され、フランジ部４１の上方から斜め上方に向けて形成される部材である。本実施例では、１対の主取付バネ部６１がフランジ部４１の直径方向に対向するように配設されており、１対の副取付バネ部６２が、主取付バネ部６１と９０度位相をずらせた直径方向に対向するように配設されている。従って、本実施例では、主取付バネ部６１と副取付バネ部６２とが、フランジ部４１の周方向に４箇所、等間隔に配設されている。主取付バネ部６１、及び副取付バネ部６２は、いずれもステンレス素材等で形成された金属板を屈曲させて形成されている。尚、取付バネ部の形状、取付位置、本数等については、本実施例のものに限定されない。
【００２３】
引掛部７１は、埋込型照明器具１１を天井から取り外す際に、手指の先を掛けて器具本体２１を引き下げるための部分である。引掛部７１は、フランジ部４１の上部の外縁部であって、各主取付バネ部６１、及び各副取付バネ部６２にそれぞれ最も近接した部位、すなわち、各主取付バネ部６１、及び各副取付バネ部６２の直下となる部位、及び、直下となる部位を含む領域に形成される。引掛部７１は、各主取付バネ部６１ごと、及び各副取付バネ部６２ごとに形成され、各引掛部７１はそれぞれ別個独立に形成されている。また、引掛部７１が形成される領域は、手指の先を掛けることができる程度の幅を有していればよく、例えば、主取付バネ部６１、又は副取付バネ部６２の幅と同程度の幅の領域に形成する。
【００２４】
尚、引掛部７１は、各主取付バネ部６１ごと、及び各副取付バネ部６２ごとに形成したが、これに限定されず、例えば、主取付バネ部６１、又は、各副取付バネ部６２のいずれかの直下となる部位、及び、直下となる部位を含む領域に設けてもよく、あるいは、少なくとも１箇所に設けるようにすればよい。
【００２５】
引掛部７１の断面形状は、図２に示すように、面取形状となるように形成する。また、平面視での形状は、図３に示すように、フランジ部４１の上部の外縁部に直線的に形成した形状とする。このように形成することにより、埋込型照明器具１１が天井に設置された状態においても引掛部７１は天井に接触しないため、フランジ部４１と天井との間に手指の先を掛けるための間隙を確保できる。引掛部７１は、フランジ部４１の上部の外縁部を切削手段によって形成してもよく、枠体３１の鋳造時に形成してもよい。引掛部７１の断面形状、及び、平面形状は、フランジ部４１と天井との間に手指の先を掛けるための間隙を確保できる形状であればよく、断面形状は、面取り形状のほか、段を形成するようにしてもよい。
【００２６】
次に、埋込型照明器具１１を構成する各部材の組み付けについて説明する。図２に示すように、まず、枠体３１の上板部３２に形成した各光源用孔部３４に下方からレンズ５４が嵌め込まれ、スペーサ−５８を介設するとともに、導光板５６でレンズ５４を保持する。枠体３１と導光板５６との固定は、中央の導光板固定ボルト８１によって行う。
【００２７】
器具主体２２の底板部２４には、枠体３１が装着され、器具主体２２の底板部２４と、枠体３１の上板部３２との間には、両面に熱伝導シート（図示せず）を貼着した基板５２が介設される。各レンズ５４に形成した凹部５５には、基板５２に実装されたＬＥＤ５３が収容されるようにする。また、器具主体２２の底板部２４と、枠体３１の上板部３２とで、主取付バネ部６１の端部と、副取付バネ部６２の端部を挟持して、主取付バネ部６１と、副取付バネ部６２を固定する。器具主体２２と枠体３１との固定は、器具主体２２の底板部２４の周囲に等間隔に配設した枠体固定ボルト８２によって行う。
【００２８】
続いて、本実施例１の埋込型照明器具１１を天井から取り外す手順について説明する。まず、フランジ部４１の周方向に形成された引掛部７１のうち、フランジ部４１の直径方向に対向する一対の引掛部７１を選択する。そして、選択した１対の引掛部７１に両手の手指の先を掛けた状態で、主取付バネ部６１、及び副取付バネ部６２の付勢力に抗して、器具本体２１を引き下げる。このとき、手指の先を引掛部７１に掛けているので、力を入れやすく、器具本体２１を容易に引き下げることができる。器具本体２１を引き下げると、フランジ部４１の外縁部を保持するきっかけとなるフランジ部４１と天井との間に間隙が生じるので、そこでフランジ部４１の外縁部を保持して、更に器具本体２１を引き下げるようにすると、主取付バネ部６１、及び副取付バネ部６２は取付穴の縁部に当接しながら、徐々に窄められていく。ある程度引き下げられたところで、主取付バネ部６１、及び副取付バネ部６２の弾性力に抗して手指で主取付バネ部６１、及び副取付バネ部６２を器具本体２１の中心方向に窄め、その状態で器具本体２１と主取付バネ部６１、及び副取付バネ部６２とを取付穴から引き抜くことで、埋込型照明器具１１を天井から取り外すことができる。
【００２９】
以上のように、実施例１に係る埋込型照明器具１１によれば、フランジ部４１の上部の外縁部であって、主取付バネ部６１、及び副取付バネ部６２にそれぞれ最も近接した部位、すなわち、主取付バネ部６１、及び副取付バネ部６２の直下となる部位、及び、直下となる部位を含む領域に引掛部７１を設けたため、手指の先を引掛部７１に掛けたときに力を入れやすく、器具本体２１を容易に引き下げることができ、フランジ部４１の外縁部を保持するきっかけとなるフランジ部４１と天井との間の間隙を容易に生じさせることができる。
【００３０】
また、主取付バネ部６１、及び副取付バネ部６２にそれぞれ最も近接した部位、及び、その部位を含む領域は、主取付バネ部６１、及び副取付バネ部６２の強度の影響が強く、器具本体２１を引き下げるには大きな力を要するが、引掛部７１を設けたため、手指の先を引掛部７１に掛けた状態で力を入れやすく、器具本体２１を容易に引き下げることができ、フランジ部４１の外縁部を保持するきっかけとなるフランジ部４１と天井との間の間隙を容易に生じさせることができる。これにより、埋込型照明器具１１を天井から容易に取り外すことができる。
【００３１】
また、主取付バネ部６１、及び副取付バネ部６２にそれぞれ最も近接した部位、及び、その部位を含む領域にのみ引掛部７１を設けたため、埋込型照明器具１１を天井に設置した状態でも、フランジ部４１と天井との間隙が目立たず、埋込型照明器具１１の外観の体裁を損なうこともない。
【実施例２】
【００３２】
次に、本発明の実施例２に係る埋込型照明器具１１について、図４から図６を用いて説明する。実施例２では、引掛部７１が形成された位置が前記実施例１とは大きく異なっている。前記実施例１と同一部分は同一符号を付して詳しい説明は省略する。
【００３３】
図４から図６に示すようにように、引掛部７１は、フランジ部４１の上部の外縁部であって、隣接する主取付バネ部６１、及び副取付バネ部６２の各々から最も離隔した部位、すなわち、フランジ部４１の周方向において、主取付バネ部６１、及び副取付バネ部６２の中間となる部位、及び、前記部位を含む領域に形成される。各引掛部７１はそれぞれ別個独立に形成されている。また、引掛部７１が形成される領域は、手指の先を掛けることができる程度の幅を有していればよく、例えば、主取付バネ部６１、又は副取付バネ部６２の幅と同程度の幅の領域に形成する。
【００３４】
尚、引掛部７１は、隣接する主取付バネ部６１、及び副取付バネ部６２の各々から最も離隔した部位ごとに形成したが、これに限定されず、例えば、少なくとも１箇所に設けるようにすればよい。
【００３５】
引掛部７１の断面形状は、図４に示すように、段となるように形成する。また、平面視での形状は、図６に示すように、フランジ部４１の上部の外縁部に一定幅で形成した形状とする。このように形成することにより、埋込型照明器具１１が天井に設置された状態においても引掛部７１は天井に接触しないため、フランジ部４１と天井との間に手指の先を掛けるための間隙を確保できる。引掛部７１は、フランジ部４１の上部の外縁部を切削手段によって形成してもよく、枠体３１の鋳造時に形成してもよい。引掛部７１の断面形状、及び、平面形状は、フランジ部４１と天井との間に手指の先を掛けるための間隙を確保できる形状であればよく、断面形状は、段のほか、面取り形状を形成するようにしてもよい。
【００３６】
本実施例２の埋込型照明器具１１を構成する各部材の組み付け、及び、天井から取り外す手順については、実施例１と同様であるため、説明を省略するが、実施例２に係る埋込型照明器具１１によれば、以下の効果を有する。
【００３７】
フランジ部４１の上部の外縁部であって、隣接する主取付バネ部６１、及び副取付バネ部６２の各々から最も離隔した部位、及び、前記部位を含む領域に、引掛部７１を設けたため、手指の先を引掛部７１に掛けたときに力を入れやすく、器具本体２１を容易に引き下げることができ、フランジ部４１の外縁部を保持するきっかけとなるフランジ部４１と天井との間の間隙を容易に生じさせることができる。
【００３８】
また、隣接する主取付バネ部６１、及び副取付バネ部６２の各々から最も離隔した部位、及び、前記部位を含む領域は、主取付バネ部６１、及び副取付バネ部６２の強度の影響が比較的弱く、器具本体２１の引き下げを比較的小さな力で行うことができるため、手指の先を引掛部７１に掛けた状態で器具本体２１を容易に引き下げることができ、フランジ部４１の外縁部を保持するきっかけとなるフランジ部４１と天井との間の間隙を容易に生じさせることができる。これにより、埋込型照明器具１１を天井から容易に取り外すことができる。
【００３９】
また、隣接する主取付バネ部６１、及び副取付バネ部６２の各々から最も離隔した部位、及び、前記部位を含む領域にのみ引掛部７１を設けたため、埋込型照明器具１１を天井に設置した状態でも、フランジ部４１と天井との間隙が目立たず、埋込型照明器具１１の外観の体裁を損なうこともない。
【００４０】
以上説明した本発明の技術的範囲は、上記の実施例に限定されるものではなく、上記実施例の形状に限定されない。本発明の技術的範囲は、本明細書及び図面に記載した事項から明らかになる本発明が真に意図する技術的思想の範囲全体に、広く及ぶものである。
【図面の簡単な説明】
【００４１】
【図１】実施例１に係る埋込型照明器具１１の側面図。
【図２】図１のＡ−Ａ線の位置において埋込型照明器具１１を切断した断面図。
【図３】埋込型照明器具１１の底面図。
【図４】実施例２に係る埋込型照明器具１１の側面図。
【図５】図４のＢ−Ｂ線の位置において埋込型照明器具１１を切断した断面図。
【図６】埋込型照明器具１１の底面図。
【符号の説明】
【００４２】
１１      埋込型照明器具
２１      器具本体
２２      器具主体
２３      側壁部
２４      底板部
２５      天板部
２６      端子台
３１      枠体
３２      上板部
３３      開口部
３４      光源用孔部
３５      反射面
４１      フランジ部
５０      光源部
５１      照射面
５２      基板
５３      ＬＥＤ
５４      レンズ
５５      凹部
５６      導光板
５７      レンズ保持用孔
５８      スペーサ−
５９      レンズ挿通孔
６１      主取付バネ部
６２      副取付バネ部
７１      引掛部
８１      導光板固定ボルト
８２      枠体固定ボルト
【図１】
0004800342.tif 000002
【図２】
0004800342.tif 000003
【図３】
0004800342.tif 000004
【図４】
0004800342.tif 000005
【図５】
0004800342.tif 000006
【図６】
0004800342.tif 000007